【事件の表示】
　特願２０１４−２０５１７１「遊技機」拒絶査定不服審判事件〔平成２８年　５月１２日出願公開、特開２０１６−　７３４０６〕について、次のとおり審決する。
【結　論】
　本件審判の請求は、成り立たない。
【理　由】
第１　手続の経緯
　本願は、平成２６年１０月３日の出願であって、平成２７年１２月２８日付けで手続補正がなされたが、平成２８年２月２４日付けで拒絶査定がなされ、これに対して、平成２８年５月２０日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、請求項１の記載は、補正前の、
「【請求項１】
　始動条件の成立により、特別遊技を行うか否かを判定する特別遊技判定手段と、
　所定の操作可能期間において、遊技者によって操作可能な操作手段が操作されることに応じて所定の演出を実行することが可能な演出制御手段とを備え、
　前記演出制御手段は、前記特別遊技判定手段による判定結果に基づいて、前記演出として、前記特別遊技が行われる信頼度が高いことを示唆する信頼度演出を実行することが可能であり、前記操作手段に対する操作が行われた時期に応じて異なる演出態様の前記信頼度演出を実行することが可能である、遊技機。」から、
補正後の
「【請求項１】
　始動条件の成立により、特別遊技を行うか否かを判定する特別遊技判定手段と、
　所定の操作可能期間において、遊技者によって操作可能な操作手段が操作されることに応じて所定の演出を実行することが可能な演出制御手段とを備え、
　前記演出制御手段は、
　　前記特別遊技判定手段による判定結果に基づいて、前記演出として、前記特別遊技が行われる信頼度が高いことを示唆する信頼度演出を実行することが可能であり、
　　前記操作手段に対する操作が行われた時期
が前記操作可能期間の第１の期間である場合、第１の場面から開始される
り、
　　
前記操作手段に対する操作が行われた時期が前記操作可能期間の前記第１の期間より後の第２の期間である場合、前記第１の場面より後の場面である第２の場面から開始される前記信頼度演出を実行することが可能であ
へ補正された（下線部は補正箇所を示す。）。
２．補正の適否
　本件補正によって、請求項１の記載は、上記１．の下線部の構成が付加された。
　すなわち、「演出制御手段」における「操作手段に対する操作が行われた時期」と「信頼度演出」について、
「前記操作可能期間の第１の期間である場合、第１の場面から開始される」とし、また、「前記操作可能期間の前記第１の期間より後の第２の期間である場合、前記第１の場面より後の場面である第２の場面から開始される」とすることで、「操作手段に対する操作が行われた時期」を限定するとともに「信頼度演出」を限定し、それにより「演出制御手段」の構成を限定するものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、願書に最初に添付した明細書の段落０２１０〜段落０２２３の記載および図２３、図２４の内容から導かれることは明らかであるから、新規事項を追加するものではない。
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１．の補正の概要において示したとおりのものである。
（２）刊行物
　本願の出願前に頒布された刊行物である「特開２０１３−１４１５４８号公報」（以下、「刊行物１」という。）には、図面と共に次の事項が記載されている（下線は当審で付した。）。
（ア）「【課題を解決するための手段】
【００１２】
（１）本発明による遊技機は、
所定条件の成立にもとづいて遊技者に有利な特定遊技状態（例えば大当り遊技状態など）に制御する遊技機
遊技者が操作可能な操作手段
と、
予告演出をいずれの段階まで実行するかを決定する予告演出決定手段
演出制御用ＣＰＵ１０１
前記操作手段が操作有効期間中
に操作されたことにもとづいて前記予告演出決定手段により決定された前記段階（例えば上限ステップ）まで予告演出を実行する予告演出実行手段
演出制御用ＣＰＵ１０１）とを備え、前記予告演出実行手段は、前記操作有効期間中の特定のタイミング
以降に前記操作手段が操作された場合には、前記複数段階のうち所定段階（例えば第３段階）の演出の態様を実行せずに前記予告演出決定手段により決定された段階（例えば第４段階）の演出の態様に変化させる
　そのような構成によれば、
操作のタイミングに応じて実行される予行演出の態様が異なるため、予告演出の興趣を向上させることができる。
（イ）「【０２８８】
　図３８は、ステップＳ８３２Ａの予告演出設定処理を示すフローチャートである。予告演出設定処理において、演出制御用ＣＰＵ１０１は、予告演出決定用の乱数ＳＲ５−１に基づいて、図３９に示す予告演出決定テーブルを用いて、予告演出を決定する（ステップＳ５７０）。具体的には、演出制御用ＣＰＵ１０１は、予告演出決定用の乱数ＳＲ５−１の値を抽出し、
抽出した乱数値とはずれ時、大当り時または突確時用にそれぞれ設けられた予告演出決定テーブルに設定されている判定値とを比較する。
予告演出の有無と演出態様を決定する。
演出制御用ＣＰＵ１０１は、第１ステップアップ予告では大当り期待度を示唆する演出を実行し、
ステップアップ予告が示唆するものとして、大当り期待度
【０２８９】
　図３９に示すように、はずれ用予告演出決定テーブル（図３９（ａ））には、各演出態様に対して所定数の判定値がそれぞれ割り振られている。なお、テーブルに含まれる数字は、各演出態様に割り振られた判定値の数を示している。大当り用予告演出決定テーブル（図３９（ｂ））および突確用予告演出決定テーブル（図３９（ｃ））においても同様である。」
（ウ）「【０３３７】
　次に、図４３に示される演出図柄変動中処理に代えて、図４７に示される演出図柄変動中処理を実行する場合のステップアップ予告演出の具体例について図４８を参照して説明する。
図４８は、第１ステップアップ予告に第２ステップアップ予告が追加されて同時に実行されるステップアップ予告演出の内容を示す説明図である
第１ステップアップ予告として、
第１段階では気球、第２段階ではプロペラ機、第３段階ではジェット機、第４段階ではロケットを登場させる演出を行う。
第２ステップアップ予告として、
第１段階では自転車（図示せず）、第２段階では原付自転車、第３段階では自動二輪、第４段階では自動車を登場させる演出を行う。
【０３３８】
　図４８に示す例では、ステップアップ予告演出が実行されると、演出表示装置９の表示画面の所定の領域において、第１ステップアップ予告の第１段階の画像である気球が登場する演出が行われる（図４８（ａ））。次いで、第１ステップアップ予告が第２段階に発展すると、第１ステップアップ予告の第２段階の画像であるプロペラ機が登場する演出が行われるとともに、第２ステップアップ予告の第２段階の画像である原付自転車が登場する演出が行われる（図４８（ｂ））。ここで、図４６に示す例とは異なり、図４８に示す例では、プロペラ機と原付自転車とが表示されたまま（予告演出が上限ステップ数に達する前に）、操作ボタン１２０の操作を促す操作有効期間演出が行われる（図４８（ｂ））。
【０３３９】
　図４８（ｂ）に示される
操作有効期間演出（例えば６秒間
操作有効期間のうちの第１操作有効期間内に操作ボタン１２０が操作された場合
第１ステップアップ予告の第３段階の画像であるジェット機と、第２ステップアップ予告の第３段階の画像である自動二輪とが登場する演出が行われる
その後、第１ステップアップ予告の第４段階の画像であるロケットと、第２ステップアップ予告の第４段階の画像である自動車とが登場する演出が行われる
【０３４０】
　また、図４８（ｂ）に示される操作有効期間演出が実行され、
操作有効期間のうちの第１操作有効期間経過後に操作ボタン１２０が操作された場合には
第１ステップアップ予告の第４段階の画像であるロケットと、第２ステップアップ予告の第４段階の画像である自動車とが登場する演出が行われる
【０３４１】
　そして、第１操作有効期間内であるか否かにかかわらず、
操作有効期間内に操作ボタン１２０が操作された場合には、あらかじめ決定された段階
まで発展した後に、第１ステップアップ予告の画像と第２ステップアップ予告の画像とのいずれかが選択表示される
【０３４２】
　また、操作有効期間内に操作ボタン１２０が操作されなかった場合には、第１ステップアップ予告の画像と第２ステップアップ予告の画像とは、あらかじめ決定された段階（図４８の例では第４段階）まで発展せず、操作有効期間演出実行時の段階（図４８の例では第２段階）ののまま（図４８（ｇ））、いずれかが選択表示される（図４８（ｈ））。」
（エ）【図５０】は、ステップアップ予告が示唆する期待度の例を示す説明図であり、ステップアップ予告においてステップ数が多いほど期待度が高くなることが示されている。特にステップ３、ステップ４においては期待度は３０％を超えることが示されている。
（オ）上記（ア）には、
　
所定条件の成立にもとづいて遊技者に有利な特定遊技状態に制御する遊技機
遊技者が操作可能な操作手段（操作ボタン１２０）と、演出の態様を段階的に変化させる予告演出をいずれの段階まで実行するかを決定する予告演出決定手段（演出制御用ＣＰＵ１０１
前記操作手段が操作有効期間中に操作されたことにもとづいて
決定された段階まで予告演出を実行する予告演出実行手段（演出制御用ＣＰＵ１０１）とを備えた構成
（カ）上記（イ）には、
演出制御用ＣＰＵ１０１は、抽出した乱数値と大当り時用等に設定されている判定値とを比較し、それに基づいて予告演出である第１ステップアップ予告では大当り期待度を示唆する演出を実行すること
予告演出は大当り期待度を示唆する演出であるといえる。
　また、上記（ウ）によれば、予告演出は
上限ステップである第４段階まで実行可能であり、
期待度、すなわち大当たり期待度が高くなる。
　以上より、
演出制御用ＣＰＵ１０１は、抽出した乱数値と大当り時用等に設定されている判定値とを比較し、それに基づいて予告演出として大当り期待度が高いことを示唆する演出を実行可能である
（キ）上記（ウ）には、
操作有効期間のうちの第１操作有効期間内に操作ボタン１２０が操作された場合
第１ステップアップ予告の第３段階の画像であるジェット機と、第２ステップアップ予告の第３段階の画像である自動二輪とが登場する演出が行われ、その後、第１ステップアップ予告の第４段階の画像であるロケットと、第２ステップアップ予告の第４段階の画像である自動車とが登場する演出が行われることが記載され、
　また、操作有効期間のうちの第１操作有効期間経過後に操作ボタン１２０が操作された場合には第１ステップアップ予告の第４段階の画像であるロケットと、第２ステップアップ予告の第４段階の画像である自動車とが登場する演出が行われることが記載されている。
第１、第２ステップアップ予告は段階まで演出を実行可能
　上記（ア）〜（ウ）の記載事項、（エ）〜（キ）の認定事項を総合すると、刊行物１には次の発明（以下、「引用発明」という。）が記載されている。
「所定条件の成立にもとづいて遊技者に有利な特定遊技状態に制御する遊技機であって、
　遊技者が操作可能な操作手段（操作ボタン１２０）が操作有効期間中に操作されたことにもとづいて決定された段階まで予告演出を実行する予告演出実行手段（演出制御用ＣＰＵ１０１）を備え、
　演出制御用ＣＰＵ１０１は、抽出した乱数値と大当り時用等に設定されている判定値とを比較し、それに基づいて予告演出として大当り期待度が高いことを示唆する演出を実行可能であり、
　操作有効期間のうちの第１操作有効期間内に操作ボタン１２０が操作された場合には、第１ステップアップ予告の第３段階の画像であるジェット機と、第２ステップアップ予告の第３段階の画像である自動二輪とが登場する演出が行われることが可能であり、
　操作有効期間のうちの第１操作有効期間経過後に操作ボタン１２０が操作された場合には第１ステップアップ予告の第４段階の画像であるロケットと、第２ステップアップ予告の第４段階の画像である自動車とが登場する演出が行われることが可能である、遊技機。」
（３）対比、判断
　本願補正発明と引用発明とを対比する。
（ａ）引用発明の「所定条件の成立」は、本願補正発明の「始動条件の成立」に相当する。そして、「遊技者に有利な特定遊技状態」は、本願補正発明の「特別遊技」に相当するから、引用発明も「特定遊技状態」となるか否かの判定をすることは明らかであり、本願補正発明の「特別遊技判定手段」に相当する手段を備えているといえる。
　
（ｂ）引用発明の「遊技者が操作可能な操作手段（操作ボタン１２０）」は、本願補正発明の「遊技者によって操作可能な操作手段」に相当し、また、引用発明の「操作有効期間」は、本願補正発明の「所定の操作可能期間」に相当する。
　そして、引用発明の「決定された段階まで」の「予告演出」は、本願補正発明の「所定の演出」に相当し、引用発明の「予告演出実行手段（演出制御用ＣＰＵ１０１）」は、本願補正発明の「演出制御手段」に相当する。
　したがって、引用発明の「遊技者が操作可能な操作手段（操作ボタン１２０）が操作有効期間中に操作されたことにもとづいて決定された段階まで予告演出を実行する予告演出実行手段（演出制御用ＣＰＵ１０１）」は、本願補正発明の「所定の操作可能期間において、遊技者によって操作可能な操作手段が操作されることに応じて所定の演出を実行することが可能な演出制御手段」に相当する。
（ｃ）引用発明の「抽出した乱数値と大当り時用等に設定されている判定値とを比較」することは、上記（ａ）での「特別遊技判定手段」による「判定」をすることと技術的に同じである。そして、引用発明の「大当り期待度が高いことを示唆する演出」は、本願補正発明の「特別遊技が行われる信頼度が高いことを示唆する信頼度演出」に相当するから、引用発明の「それに基づいて予告演出として大当り期待度が高いことを示唆する演出を実行可能」は、本願補正発明の「判定結果に基づいて、前記演出として、前記特別遊技が行われる信頼度が高いことを示唆する信頼度演出を実行することが可能」に相当する。
　したがって、引用発明の「演出制御用ＣＰＵ１０１は、抽出した乱数値と大当り時用等に設定されている判定値とを比較し、それに基づいて予告演出として大当り期待度が高いことを示唆する演出を実行可能であ」ることは、本願補正発明の「前記演出制御手段は、記特別遊技判定手段による判定結果に基づいて、前記演出として、前記特別遊技が行われる信頼度が高いことを示唆する信頼度演出を実行することが可能であ」ることに相当する。
（ｄ）引用発明の「操作有効期間のうちの第１操作有効期間内に操作ボタン１２０が操作された場合」は、本願補正発明の「前記操作手段に対する操作が行われた時期が前記操作可能期間の第１の期間である場合」に相当し、また、引用発明の「操作有効期間のうちの第１操作有効期間経過後に操作ボタン１２０が操作された場合」は、本願補正発明の「前記操作手段に対する操作が行われた時期が前記操作可能期間の前記第１の期間より後の第２の期間である場合」に相当する。
　そして、引用発明の「第１ステップアップ予告の第３段階の画像であるジェット機と、第２ステップアップ予告の第３段階の画像である自動二輪とが登場する演出」と「第１ステップアップ予告の第４段階の画像であるロケットと、第２ステップアップ予告の第４段階の画像である自動車とが登場する演出」はいずれもステップ数が多いことから、いずれも信頼度が高いことを示唆する演出であるといえる。
　また、引用発明の「第１ステップアップ予告の第３段階の画像であるジェット機と、第２ステップアップ予告の第３段階の画像である自動二輪とが登場する演出」に比べ、引用発明の「第１ステップアップ予告の第４段階の画像であるロケットと、第２ステップアップ予告の第４段階の画像である自動車とが登場する演出」は、後の場面であることは明らかであるから、第３段階の画像の演出である前者は本願補正発明の「第１の場面」に、第４段階の画像の演出である後者は「第１の場面より後の場面である第２の場面」にそれぞれ相当する。
　したがって、引用発明の「操作有効期間」に「操作ボタン１２０が操作された場合」は、「第１の場面」または「第２の場面」から信頼度が高いことを示唆する演出が開始されるといえる。
　以上より、引用発明の「操作有効期間のうちの第１操作有効期間内に操作ボタン１２０が操作された場合には、第１ステップアップ予告の第３段階の画像であるジェット機と、第２ステップアップ予告の第３段階の画像である自動二輪とが登場する演出が行われることが可能であり、操作有効期間のうちの第１操作有効期間経過後に操作ボタン１２０が操作された場合には第１ステップアップ予告の第４段階の画像であるロケットと、第２ステップアップ予告の第４段階の画像である自動車とが登場する演出が行われることが可能である」ことは、本願補正発明の「前記操作手段に対する操作が行われた時期が前記操作可能期間の第１の期間である場合、第１の場面から開始される前記信頼度演出を実行することが可能であり、前記操作手段に対する操作が行われた時期が前記操作可能期間の前記第１の期間より後の第２の期間である場合、前記第１の場面より後の場面である第２の場面から開始される前記信頼度演出を実行することが可能である」ことに相当する。
　そうすると、上記（ａ）〜（ｄ）の対比から、両者は、
「始動条件の成立により、特別遊技を行うか否かを判定する特別遊技判定手段と、
　所定の操作可能期間において、遊技者によって操作可能な操作手段が操作されることに応じて所定の演出を実行することが可能な演出制御手段とを備え、
　前記演出制御手段は、
　　前記特別遊技判定手段による判定結果に基づいて、前記演出として、前記特別遊技が行われる信頼度が高いことを示唆する信頼度演出を実行することが可能であり、
　　前記操作手段に対する操作が行われた時期が前記操作可能期間の第１の期間である場合、第１の場面から開始される前記信頼度演出を実行することが可能であり、
　　前記操作手段に対する操作が行われた時期が前記操作可能期間の前記第１の期間より後の第２の期間である場合、前記第１の場面より後の場面である第２の場面から開始される前記信頼度演出を実行することが可能である、遊技機。」
である点で一致しており、相違点はない。
　したがって、本願補正発明は、引用発明と同一であり、刊行物１に記載された発明であるということができる。
　仮に、相違点があったとしても、本願補正発明は引用発明から当業者が容易に発明できたものである。
　なお、審判請求人は審判請求書において、本願補正発明と特開２０１４−９７３０８号公報（後述の刊行物２）に記載された発明とを対比して相違点について主張しているが、本願補正発明の独立特許要件の判断には、刊行物１を用いており対比対象が異なるため請求人の主張は採用できない。
（４）まとめ
　よって、本願補正発明は、特許法第２９条第１項第３号の規定に該当し、又は特許法第２９条第２項の規定により特許出願の際独立して特許を受けることができない。
４．むすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１、２に係る発明は、平成２７年１２月２８日付けの手続補正書の特許請求の範囲の請求項１、２に記載された事項により特定されるものであるところ、その請求項１に記載された発明（以下、「本願発明」という。）は次のとおりのものである。
「【請求項１】
　始動条件の成立により、特別遊技を行うか否かを判定する特別遊技判定手段と、
　所定の操作可能期間において、遊技者によって操作可能な操作手段が操作されることに応じて所定の演出を実行することが可能な演出制御手段とを備え、
　前記演出制御手段は、前記特別遊技判定手段による判定結果に基づいて、前記演出として、前記特別遊技が行われる信頼度が高いことを示唆する信頼度演出を実行することが可能であり、前記操作手段に対する操作が行われた時期に応じて異なる演出態様の前記信頼度演出を実行することが可能である、遊技機。」
　
１．刊行物
　原査定の拒絶の理由に引用された本願の出願前に頒布された刊行物である「特開２０１４−９７３０８号公報」（以下、「刊行物２」という。）には、図面と共に次の事項が記載されている（下線は当審で付した。）。
（ア）「【発明の詳細な説明】
【技術分野】
【０００１】
　本発明は、図柄表示装置で図柄を変動表示し、所定の態様で図柄を停止させた後に特賞状態を生起させる遊技機に係り、特に、
遊技の趣向を向上するのに好適な遊技機
（イ）「【００７４】
　図１３は、大当たり判定処理を示すフローチャートである。
　大当たり判定処理は、所定確率（例えば、１／３９９）で特賞状態を生起させるために、所定の数値範囲（例えば、「０」〜「３９８」）に１個の大当たり値を設定し、
始動入賞口１１１に遊技球が入賞した入賞タイミングで乱数カウンタから当たり決定乱数を取得し、取得した乱数値と大当たり値とが一致しているときに特賞状態を生起
・・・
　【００７９】
　次いで、ステップＳ３１４に移行して、
大当たりまたは小当たり時に変動表示する演出図柄の変動パターンを決定する当たり時変動パターン決定処理を実行する。
当たり時変動パターン決定処理において、大当たり抽選における当たり確定時のボタン押下演出の実行を決定する
（ウ）「【００８７】
　ボタン押下有効期間ｔは、図１４に示すように、演出図柄の１回の変動期間Ａ内に設定される。演出図柄の変動開始から所定時間が経過した時点で開始し、変動期間Ａが終了する所定時間前に終了する。すなわち、ある変動パターンが選択された場合には、その変動パターンが実行される時間（変動時間）内における所定の期間にボタン押下有効期間ｔが設定されるものである。
【００８８】
　
ボタン押下有効期間ｔは、前半の期間および後半の期間の２つの期間に区分
後半の期間中に操作ボタン１２８が押下されたときは、ボタン押下主演出を行い、その後続けて、第１演出期間内の所定出力時間の間にセリフ等の音声を出力するボタン押下音声演出１を行う。
前半の期間中に操作ボタン１２８が押下されたときは、ボタン押下主演出を行い、その後続けて、第２演出期間内の所定出力時間の間にセリフ等の音声を出力するボタン押下音声演出２を行う。
（エ）「【０１０４】
　大当たりまたは小当たり中は、大入賞口１１５が所定の開閉パターンで開放制御され、大入賞口１１５に遊技球が入賞すると、１個当たりの入賞につき所定数の賞球が払い出される。
　次に、ボタン押下有効期間ｔのうち後半の期間中に遊技者が操作ボタン１２８を押下する場合の動作を説明する。
【０１０５】
　演出制御装置１５０では、変動パターンコマンドを受信すると、演出図柄の変動が開始され、その後、ボタン押下有効期間ｔになると、操作ボタン１２８のランプが点灯する。そのため、遊技者は、ボタン押下有効期間ｔ中であることが分かる。
　遊技者は、
ボタン押下有効期間ｔのうち後半の期間中に操作ボタン１２８を押下すると、演出制御装置１５０では、ステップＳ４２２、Ｓ４２４、Ｓ４２０を経て、ボタン演出ｍ指定コマンドが図柄制御装置１５２、ランプ制御部１６４および音声制御部１６２に、ボタン演出音声１指定コマンドが音声制御部１６２に送信
【０１０６】
　図１６は、ボタン押下演出の動作を示すタイムチャートである。
　図柄制御装置１５２では、ボタン演出ｍ指定コマンドを受信すると、図１６の中段に示すように、
ボタン押下主演出
ボタン押下音声演出１
【０１０７】
　次に、ボタン押下有効期間ｔのうち前半の期間中に遊技者が操作ボタン１２８を押下する場合の動作を説明する。
　遊技者は、
ボタン押下有効期間ｔのうち前半の期間中に操作ボタン１２８を押下すると、演出制御装置１５０では、ステップＳ４１６〜Ｓ４２０を経て、ボタン演出ｍ指定コマンドが図柄制御装置１５２、ランプ制御部１６４および音声制御部１６２に、ボタン演出音声２指定コマンドが音声制御部１６２に送信
【０１０８】
　図柄制御装置１５２では、ボタン演出ｍ指定コマンドを受信すると、図１６の下段に示すように、
ボタン押下主演出
ボタン押下音声演出２
（オ）上記（イ）によれば、大当たりまたは小当たり時に変動表示する演出図柄の変動パターンを決定する当たり時変動パターン決定処理を実行し、また、当たり時変動パターン決定処理において、大当たり抽選における当たり確定時のボタン押下演出の実行を決定し、また、上記（エ）によれば、演出制御装置１５０によりボタン押下演出を実行されていることは明らかである。
　したがって、刊行物２には、
演出制御装置１５０は、大当たり時の変動パターンにおいて、ボタン押下演出の実行を可能とする
　上記（ア）〜（エ）に記載された事項、（オ）の認定事項を総合すると、刊行物２には次の発明（以下、「引用発明２」という。）が記載されている。
「始動入賞口１１１に遊技球が入賞した入賞タイミングで、取得した乱数値と大当たり値とが一致しているときに特賞状態を生起させ（【００７４】）、
　ボタン押下有効期間に遊技者が操作ボタン１２８を押下すると、ボタン押下主演出とボタン押下音声演出１又はボタン押下音声演出２を行うことが可能な演出制御装置１５０を備え（【０１０５】、【００８８】）、
　演出制御装置１５０は、大当たり時の変動パターンにおいて、ボタン押下演出の実行を可能であり（オ）、
　ボタン押下有効期間の後半の期間中に操作ボタン１２８が押下されたときは、ボタン押下主演出を行い、その後続けて、第１演出期間内の所定出力時間の間にセリフ等の音声を出力するボタン押下音声演出１を行い、ボタン押下有効期間の前半の期間中に操作ボタン１２８が押下されたときは、ボタン押下主演出を行い、その後続けて、第２演出期間内の所定出力時間の間にセリフ等の音声を出力するボタン押下音声演出２を行う、遊技機（【００８８】、【０１０５】−【０１０８】）。」
　
２．対比、判断
　本願発明と引用発明２を対比する。
（ａ）引用発明２の「始動入賞口１１１に遊技球が入賞した入賞タイミング」は、本願発明の「始動条件の成立」に相当する。そして、引用発明２の「取得した乱数値と大当たり値とが一致しているときに特賞状態を生起させ」ることは、本願発明の「特別遊技を行うか否かを判定する」ことに相当するから、引用発明２も本願発明の「特別遊技判定手段」を有していることは明らかである。
（ｂ）引用発明２の「ボタン押下有効期間」、「操作ボタン１２８」は、それぞれ、本願発明の「所定の操作可能期間」、「操作手段」に相当する。そして、引用発明２の「ボタン押下主演出とボタン押下音声演出１又はボタン押下音声演出２」は、本願発明の「所定の演出」に相当し、引用発明２の「演出制御装置１５０」は、本願発明の「演出制御手段」に相当する。
　したがって、引用発明２の「ボタン押下有効期間に遊技者が操作ボタン１２８を押下すると、ボタン押下主演出とボタン押下音声演出１又はボタン押下音声演出２を行うことが可能な演出制御装置１５０」は、本願発明の「所定の操作可能期間において、遊技者によって操作可能な操作手段が操作されることに応じて所定の演出を実行することが可能な演出制御手段」に相当する。
（ｃ）引用発明２は、「大当たり時の変動パターンにおいて、ボタン押下演出の実行を可能」であるから、「ボタン押下演出」は特別遊技が行われる信頼度が高いことを示唆する演出である。また、引用発明２の「大当たり時」は上記（ａ）の「特別遊技判定手段」の判定結果に基づいていることは明らかである。
　したがって、引用発明２の「演出制御装置１５０は、大当たり時の変動パターンには、ボタン押下演出の実行を可能」なことは、本願発明の「演出制御手段は、特別遊技判定手段による判定結果に基づいて、前記演出として、前記特別遊技が行われる信頼度が高いことを示唆する信頼度演出を実行することが可能」なことに相当する。
（ｄ）引用発明２の「ボタン押下有効期間の後半の期間中に操作ボタン１２８が押下されたときは、ボタン押下主演出を行い、その後続けて、第１演出期間内の所定出力時間の間にセリフ等の音声を出力するボタン押下音声演出１を行」うことと、「ボタン押下有効期間の前半の期間中に操作ボタン１２８が押下されたときは、ボタン押下主演出を行い、その後続けて、第２演出期間内の所定出力時間の間にセリフ等の音声を出力するボタン押下音声演出２を行う」ことは、
　操作手段（操作ボタン１２８）に対する操作が行われた時期（ボタン押下有効期間の後半の期間中か、前半の期間中か）に応じて演出態様が異なる（ボタン押下主演出＋ボタン押下音声演出１の場合とボタン押下主演出＋ボタン押下音声演出２の場合であり、文言上、少なくとも、ボタン押下音声演出１とボタン押下音声演出２を含むか否かの相違がある）といえる。
　そうすると、上記（ａ）〜（ｄ）の対比から、両者は、
「始動条件の成立により、特別遊技を行うか否かを判定する特別遊技判定手段と、
　所定の操作可能期間において、遊技者によって操作可能な操作手段が操作されることに応じて所定の演出を実行することが可能な演出制御手段とを備え、
　前記演出制御手段は、前記特別遊技判定手段による判定結果に基づいて、前記演出として、前記特別遊技が行われる信頼度が高いことを示唆する信頼度演出を実行することが可能であり、前記操作手段に対する操作が行われた時期に応じて異なる演出態様の前記信頼度演出を実行することが可能である、遊技機。」
である点で一致しており、相違点はない。
　したがって、本願発明は引用発明２と同一であり、刊行物２に記載された発明であるということができる。
　仮に、引用発明２のボタン押下音声演出１とボタン押下音声演出２が同じ音声演出であったとして、両者に相違点が存在したとしても、音声演出１と音声演出２の音色を変える等して演出態様を異なるようにすることは当業が容易になし得ることであり、本願発明は引用発明から当業者が容易に発明できたものである。
３．むすび
　以上のとおり、本願発明は、特許法第２９条第１項第３号の規定に該当し、又は特許法第２９条第２項の規定により特許を受けることができないものである。
　したがって、その余の請求項について論及するまでもなく、本願は拒絶すべきものである。
　よって、結論のとおり審決する。